(57)【要約】【課題】無線選択呼出受信機の機能を有しない端末装置であっても通話中にショートメッセージを受信できるようにする。【解決手段】交換局１に、第一の端末装置がＢチャネルを介して回線交換方式によって第三の端末装置と通信を行っているか否かを判別する着信側状態判別部１３２と、そのように通信を行っていると第一の端末装置が判別された場合に、第一の端末装置が使用するＢチャネルを特定する、チャネル判別部１３３と、特定されたＢチャネルに対応するＤチャネルを介して、第二の端末装置からのショートメッセージをＩＮＦＯメッセージによって第一の端末装置へ転送する転送手段と、を設ける。【選択図】図２
2011254398.tif 000002
【特許請求の範囲】
【請求項１】
第二の端末装置から第一の端末装置へ宛てて発信されたショートメッセージである送信対象ショートメッセージを中継する中継システムであって、
音声のやり取りに用いられる通信チャネルである音声チャネルを介して前記第一の端末装置が回線交換方式によって第三の端末装置と通信を行っているか否かを判別する、通信状態判別手段と、
前記第一の端末装置が前記通信を行っていると判別された場合に、前記第一の端末装置が使用する前記音声チャネルを特定する、音声チャネル特定手段と、
特定された前記音声チャネルの制御用の通信チャネルである制御チャネルを介して前記送信対象ショートメッセージを、前記通信が行われていない場合にショートメッセージを転送するために使用する第一の種別のメッセージとは異なる第二の種別のメッセージに含ませて前記第一の端末装置へ転送する転送手段と、
を有する中継システム。
【請求項２】
前記音声チャネルは、ＩＳＤＮ（Integrated Services Digital Network）のＢチャネルであり、
前記制御チャネルは、ＩＳＤＮのＤチャネルであり、
前記第一の種別は、Ｑ．９３１のＳＥＴＵＰであり、
前記第二の種別は、Ｑ．９３１のＩＮＦＯであり、
前記転送手段は、前記送信対象ショートメッセージを、ＵＵＩ（User-to-user Information）に当該送信対象ショートメッセージを含むＩＮＦＯメッセージである第一のＩＮＦＯメッセージを送信することによって、転送する、
請求項１記載の中継システム。
【請求項３】
前記転送手段は、前記第一のＩＮＦＯメッセージを、前記送信対象ショートメッセージが含まれていることを示すコードである第一のコードを当該第一のＩＮＦＯメッセージのＵＵＩに含ませて送信する、
請求項２記載の中継システム。
【請求項４】
前記第一の端末装置から、前記送信対象ショートメッセージを受信した旨を示すコードである第二のコードがＵＵＩに含まれているＩＮＦＯメッセージである第二のＩＮＦＯメッセージを受信した場合に、当該送信対象ショートメッセージが届いた旨を示す情報を含むＡＬＥＲＴメッセージを前記第二の端末装置へ送信するＡＬＥＲＴ送信手段、を有する、
請求項２または請求項３記載の中継システム。
【請求項５】
音声のやり取りに用いられる通信チャネルである音声チャネルを介して他の端末装置と回線交換方式によって通信しているときに、当該他の端末装置と通信していないときにショートメッセージを受信するために使用する第一の種別のメッセージとは異なる第二の種別のメッセージを、当該音声チャネルの制御用の通信チャネルである制御チャネルを介して中継システムから受信する受信手段と、
受信されたメッセージにショートメッセージが含まれている場合に、当該ショートメッセージを所定の記憶領域に保存する保存手段と、
ショートメッセージを受信した旨を前記第二の種別のメッセージによって前記中継システムへ送信する送信手段と、
を有する端末装置。
【請求項６】
中継システムに、
第二の端末装置から第一の端末装置へ宛てて発信されたショートメッセージである送信対象ショートメッセージを受信する処理を実行させ、
音声のやり取りに用いられる通信チャネルである音声チャネルを介して前記第一の端末装置が回線交換方式によって第三の端末装置と通信を行っているか否かを判別する処理を実行させ、
前記第一の端末装置が前記通信を行っていると判別した場合に、前記第一の端末装置が使用する前記音声チャネルを特定する処理を実行させ、
特定した前記音声チャネルの制御用の通信チャネルである制御チャネルを介して前記送信対象ショートメッセージを、前記通信が行われていない場合にショートメッセージを転送するために使用する第一の種別のメッセージとは異なる第二の種別のメッセージに含ませて前記第一の端末装置へ転送する処理を実行させ、
前記第一の端末装置に、
前記第二の種別のメッセージを受信する処理を実行させ、
受信した前記第二の種別のメッセージから前記送信対象ショートメッセージを抽出し所定の記憶領域に保存する処理を実行させる、
ショートメッセージ中継方法。
【請求項７】
第二の端末装置から第一の端末装置へ宛てて発信されたショートメッセージである送信対象ショートメッセージを中継するための処理を行う中継装置に用いられるコンピュータプログラムであって、
前記中継装置に、
音声のやり取りに用いられる通信チャネルである音声チャネルを介して前記第一の端末装置が回線交換方式によって第三の端末装置と通信を行っているか否かを判別する処理を実行させ、
前記第一の端末装置が前記通信を行っていると判別された場合に、前記第一の端末装置が使用する前記音声チャネルを特定する処理を実行させ、
特定された前記音声チャネルの制御用の通信チャネルである制御チャネルを介して前記送信対象ショートメッセージを、前記通信が行われていない場合にショートメッセージを転送するために使用する第一の種別のメッセージとは異なる第二の種別のメッセージに含ませて前記第一の端末装置へ転送する処理を実行させる、
コンピュータプログラム。
【請求項８】
端末装置に、
音声のやり取りに用いられる通信チャネルである音声チャネルを介して他の端末装置と回線交換方式によって通信しているときに、当該他の端末装置と通信していないときにショートメッセージを受信するために使用する第一の種別のメッセージとは異なる第二の種別のメッセージを、前記音声チャネルの制御用の通信チャネルである制御チャネルを介して中継システムから受信する処理を実行させ、
受信されたメッセージにショートメッセージが含まれている場合に、当該ショートメッセージを所定の記憶領域に保存する処理を実行させ、
ショートメッセージを受信した旨を前記第二の種別のメッセージによって前記中継システムへ送信する処理を実行させる、
コンピュータプログラム。
【発明の詳細な説明】
【技術分野】
【０００１】
本発明は、ショートメッセージのやり取りを行う技術に関する。
【背景技術】
【０００２】
近年、Personal Handy-phone System（ＰＨＳ）または携帯電話通信システムなどを用いた移動体通信サービスが普及している。移動体通信サービスには、通話のサービスだけでなく、インターネットへの接続のサービスおよびGlobal Positioning System（ＧＰＳ）のサービスなど、様々なサービスがある。
【０００３】
移動体通信サービスの１つとして、「Short Message Service（ＳＭＳ）」などと呼ばれるサービスがある。ＳＭＳは、２台の端末装置（移動局）同士で「ショートメッセージ」と呼ばれるメッセージをやり取りするサービスである。ＰＨＳにおいては、２台の端末装置は、Ｄチャネルを介して回線交換方式によってショートメッセージをやり取りする。
【先行技術文献】
【特許文献】
【０００４】
【特許文献１】特開平７−１４３５５５号公報
【発明の概要】
【発明が解決しようとする課題】
【０００５】
携帯無線機（端末装置）は、互いに独立な携帯電話システムの移動機の機能および無線選択呼出システムの移動機の機能、つまり、携帯電話機の機能と無線選択呼出受信機の機能とを併せ持っていれば、通話中であっても、メッセージを受信することができる（特許文献１）。
【０００６】
ところが、無線選択呼出受信機の機能を有しない端末装置、例えば、ＰＨＳの端末装置は、通話中の場合は、ショートメッセージを受信することができない。
【０００７】
本発明は、このような問題点に鑑み、無線選択呼出受信機の機能を有しない端末装置が通話中であってもショートメッセージが受信できるようにすることを、目的とする。
【課題を解決するための手段】
【０００８】
本発明の一形態に係る中継システムは、第二の端末装置から第一の端末装置へ宛てて発信されたショートメッセージである送信対象ショートメッセージを中継する中継システムであって、音声のやり取りに用いられる通信チャネルである音声チャネルを介して前記第一の端末装置が回線交換方式によって第三の端末装置と通信を行っているか否かを判別する、通信状態判別手段と、前記第一の端末装置が前記通信を行っていると判別された場合に、前記第一の端末装置が使用する前記音声チャネルを特定する、音声チャネル特定手段と、特定された前記音声チャネルの制御用の通信チャネルである制御チャネルを介して前記送信対象ショートメッセージを、前記通信が行われていない場合にショートメッセージを転送するために使用する第一の種別のメッセージとは異なる第二の種別のメッセージに含ませて前記第一の端末装置へ転送する転送手段と、を有する。
【０００９】
好ましくは、前記音声チャネルは、ＩＳＤＮ（Integrated Services Digital Network）のＢチャネルであり、前記制御チャネルは、ＩＳＤＮのＤチャネルであり、前記第一の種別は、Ｑ．９３１のＳＥＴＵＰであり、前記第二の種別は、Ｑ．９３１のＩＮＦＯであり、前記転送手段は、前記送信対象ショートメッセージを、ＵＵＩ（User-to-user Information）に当該送信対象ショートメッセージを含むＩＮＦＯメッセージである第一のＩＮＦＯメッセージを送信することによって、転送する。
【００１０】
または、前記転送手段は、前記第一のＩＮＦＯメッセージを、前記送信対象ショートメッセージが含まれていることを示すコードである第一のコードを当該第一のＩＮＦＯメッセージのＵＵＩに含ませて送信する。
【００１１】
または、前記第一の端末装置から、前記送信対象ショートメッセージを受信した旨を示すコードである第二のコードがＵＵＩに含まれているＩＮＦＯメッセージである第二のＩＮＦＯメッセージを受信した場合に、当該送信対象ショートメッセージが届いた旨を示す情報を含むＡＬＥＲＴメッセージを前記第二の端末装置へ送信するＡＬＥＲＴ送信手段、を有する、
本発明の一形態に係る端末装置は、音声のやり取りに用いられる通信チャネルである音声チャネルを介して他の端末装置と回線交換方式によって通信しているときに、当該他の端末装置と通信していないときにショートメッセージを受信するために使用する第一の種別のメッセージとは異なる第二の種別のメッセージを、当該音声チャネルの制御用の通信チャネルである制御チャネルを介して中継システムから受信する受信手段と、受信されたメッセージにショートメッセージが含まれている場合に、当該ショートメッセージを所定の記憶領域に保存する保存手段と、ショートメッセージを受信した旨を前記第二の種別のメッセージによって前記中継システムへ送信する送信手段と、を有する。
【発明の効果】
【００１２】
本発明によると、無線選択呼出受信機の機能を有しない端末装置であっても通話中にショートメッセージを受信することができる。
【図面の簡単な説明】
【００１３】
【図１】通信システムの全体的な構成の例を示す図である。
【図２】交換局の構成の例を示す図である。
【図３】端末装置の構成の例を示す図である。
【図４】呼情報管理テーブルおよび呼情報の例を示す図である。
【図５】端末情報管理テーブルおよび端末情報の例を示す図である。
【図６】交換局および端末装置の処理の流れを説明するためのシーケンス図である。
【図７】通話中時送信処理部の構成の例を示す図である。
【図８】ＩＮＦＯメッセージのフォーマットの例を示す図である。
【図９】ＩＮＦＯメッセージのフォーマットの例を示す図である。
【図１０】呼情報の例を示す図である。
【図１１】端末情報の例を示す図である。
【図１２】端末情報の例を示す図である。
【図１３】呼情報の例を示す図である。
【図１４】端末情報の例を示す図である。
【図１５】呼情報の例を示す図である。
【図１６】交換局の全体的な処理の流れの例を説明するフローチャートである。
【図１７】交換局の全体的な処理の流れの例を説明するフローチャートである。
【図１８】端末装置の全体的な処理の流れの例を説明するフローチャートである。
【図１９】端末装置の全体的な処理の流れの例を説明するフローチャートである。
【発明を実施するための形態】
【００１４】
図１は、通信システムＴＳの全体的な構成の例を示す図である。
【００１５】
図１に示す通信システムＴＳは、移動体通信サービスの加入者同士が会話をしたり電子データをやり取りしたりするためのシステムである。以下、移動体通信の方式としてPersonal Handy-phone System（ＰＨＳ）が用いられる場合を例に説明する。
【００１６】
通信システムＴＳは、図１に示すように、交換局１、基地局２Ａ、２Ｂ、２Ｃ、…、および端末装置３Ａ、３Ｂ、３Ｃ、…などを有する。
【００１７】
以下、説明の簡単のために、ある１つのエリアＸに位置する３台の端末装置３Ａ、３Ｂ、および３Ｃ同士が通信を行う場合を例に説明する。また、端末装置３Ａは基地局２Ａのセルの中に位置し、端末装置３Ｂは基地局２Ｂのセルの中に位置し、端末装置３Ｃは、基地局２Ｃの中に位置するものとする。基地局２Ａ、２Ｂ、２Ｃを「基地局２」と総称し、端末装置３Ａ、３Ｂ、および３Ｃを「端末装置３」と総称することがある。
【００１８】
交換局１とエリアＸの中の基地局２とは、通信回線によって繋がれている。基地局２は、その基地局２のセルの中に位置する端末装置３と無線によって通信を行う。
【００１９】
交換局１は、発呼側の端末装置３が位置するセルの基地局２と着呼側の端末装置３が位置するセルの基地局２とを接続し、両端末装置３同士の通信を制御する。
【００２０】
交換局１は、様々なサービスのための処理を行うが、そのうちの１つとして、Short Message Service（ＳＭＳ）のための処理を行う。ＳＭＳは、端末の電話番号（いわゆる携帯電話番号）を宛先にしてメッセージを送受信できるサービスである。このメッセージは、一般に「ショートメッセージ」または「ショートメール」などと呼ばれており、インターネットで取り扱われる電子メールに比べて長さの制限が厳しい。つまり、短文でなければならない。
【００２１】
また、本実施形態では、交換局１は、ある端末装置３が、通話中の端末装置３へショートメッセージを発信しても、このショートメッセージが届くように種々の処理を行う。この仕組みについては、後に説明する。交換局１は、いわゆる市内交換局であってもよいし、Private Branch Exchange（ＰＢＸ）であってもよい。
【００２２】
基地局２は、交換局１とその基地局２の近隣の端末装置３との間の通信を中継する。基地局２は、「ＢＳ（Base Station）」、「Ｎｏｄｅ−Ｂ」、または「ＢＴＳ（Base Transfer Station）」などと呼ばれることもある。
【００２３】
図２は、交換局１の構成の例を示す図である。図３は、端末装置３の構成の例を示す図である。図４は、呼情報管理テーブル１０１および呼情報５の例を示す図である。図５は、端末情報管理テーブル１０２および端末情報６の例を示す図である。
【００２４】
交換局１は、図２に示すように、呼情報管理テーブル１０１、端末情報管理テーブル１０２、およびショートメッセージ中継処理部１０３などを有する。図２に示す各部の機能をハードウェアのみによって実現してもよいし、一部の機能をプログラムに基づいてCentral Processing Unit（ＣＰＵ）によってハードウェアを制御することによって実現してもよい。端末装置３が有する機能についても、同様である。
【００２５】
端末装置３は、図３に示すように、ＩＮＦＯメッセージ受信処理部３０１、通話中時メッセージ処理部３０２、ＳＥＴＵＰメッセージ受信処理部３０３、および非通話中時メッセージ処理部３０４などを有する。
【００２６】
図２において、呼情報管理テーブル１０１には、図４に示すように、所定の個数の呼情報５が記憶されている。呼情報５には、それぞれを識別するためのユニークな呼番号が与えられている。
【００２７】
端末装置３から呼が発信されるごとに、現在他のいずれの呼にも割り当てられていない呼情報５が１つ選出され、発信された呼に対して割り当てられる。そして、割り当てられた呼情報５に、発信側の端末装置３に関する情報および着信側の端末装置３に関する情報などが記録される。
【００２８】
呼情報５には、呼状態、発信者情報、発信者ＢＳ番号、発信者チャネル番号、発信者端末論理番号、発信者メッセージ通知用呼番号、着信者情報、着信者ＢＳ番号、着信者チャネル番号、着信者端末論理番号、および着信者メッセージ通知用呼番号などの情報が含まれる。
【００２９】
「呼状態」は、呼の状態を示す。具体的には、発信中、着信中、および通話中のうちのいずれかを示す。「発信中」は、発信側の端末装置３から呼が発せられたが着信側の端末装置３へ未だ呼が届いていない状態である。「着信中」は、着信側の端末装置３へ呼が届き呼出しが行われている状態である。「通話中」は、発信側の端末装置３と着信側の端末装置３とのセッションが確立している状態である。つまり、通話が行われている状態である。
【００３０】
ただし、使用されていない呼情報５の呼状態は、使用されていないことを意味する「０」を示す。
【００３１】
「発信者情報」は、呼の発信側の端末装置３の電話番号である。「着信者情報」は、呼の着信側の端末装置３の電話番号である。
【００３２】
「発信者ＢＳ番号」は、呼の発信側の端末装置３が位置するセルの基地局２のＢＳ番号である。なお、「ＢＳ番号」は、基地局２ごとに与えられている、基地局２を識別するための番号である。「着信者ＢＳ番号」は、呼の着信側の端末装置３が位置するセルの基地局２のＢＳ番号である。
【００３３】
「発信者チャネル番号」は、呼の発信側の端末装置３が使用するチャネルのチャネル番号である。なお、「チャネル番号」は、チャネルごとに与えられている、チャネルを識別するための番号である。「着信者チャネル番号」は、呼の着信側の端末装置３が使用するチャネルのチャネル番号である。
【００３４】
「発信者端末論理番号」は、呼の発信側の端末装置３に割り当てられた端末情報６の端末論理番号である。端末情報６については、後に説明する。なお、「端末論理番号」は、端末情報６ごとに与えられている、端末情報６を識別するための番号である。「発信者端末論理番号」は、呼の発信側の端末装置３に割り当てられた端末情報６の端末論理番号である。
【００３５】
「発信者メッセージ通知用呼番号」は、呼の発信側の端末装置３が通話中であるときにこの端末装置３へショートメッセージを送信した送信元に割り当てられている呼情報５の呼番号である。ただし、ショートメッセージのやり取りがないときは、発信者メッセージ通知用呼番号は「０」を示す。「着信者メッセージ通知用呼番号」は、呼の着信側の端末装置３が通話中であるときにこの端末装置３へショートメッセージを送信した送信元に割り当てられている呼情報５の呼番号である。ただし、ショートメッセージのやり取りがないときは、着信者メッセージ通知用呼番号は「０」を示す。
【００３６】
図２に戻って、端末情報管理テーブル１０２には、図５に示すように、端末装置３ごとの端末情報６が記憶されている。
【００３７】
端末情報６には、電話番号、呼番号、および位置登録エリア番号などの情報が含まれる。
【００３８】
「電話番号」は、端末情報６が割り当てられた端末装置３の電話番号である。「呼番号」は、その端末装置３に割り当てられた呼情報５の呼番号である。ただし、通信を行っていない場合は、呼番号は「０」である。「位置登録エリア番号」は、その端末装置３が位置するエリアのエリア番号である。なお、「エリア番号」は、エリアごとに与えられている、エリアを識別するための番号である。
【００３９】
端末情報６は、端末装置３が初めて交換局１に接続された際に生成され、端末情報管理テーブル１０２に登録される。
【００４０】
図２に戻って、ショートメッセージ中継処理部１０３は、ＳＥＴＵＰメッセージ受信処理部１３１、着信側状態判別部１３２、チャネル判別部１３３、通話中時送信処理部１３４、完了通知送信処理部１３５、非通話中時送信処理部１３６などを有する。
【００４１】
ショートメッセージ中継処理部１０３の各部は、ショートメッセージを一方の端末装置３から他方の端末装置３へ中継するための処理を行う。
【００４２】
図３に示す端末装置３の各部は、通話中であってもショートメッセージを受信するための処理を行う。
【００４３】
ここで、端末装置３Ｂと通話中である端末装置３Ａへ端末装置３Ｃがショートメッセージを送信する場合を例に、ショートメッセージ中継処理部１０３および端末装置３（３Ａ）の各部の処理を、シーケンス図などを参照しながら説明する。
【００４４】
図６は、交換局１、端末装置３Ｂ、および端末装置３Ｃの処理の流れを説明するためのシーケンス図である。図７は、通話中時送信処理部１３４の構成の例を示す図である。図８は、ＩＮＦＯメッセージ７２のフォーマットの例を示す図である。図９は、ＩＮＦＯメッセージ７３のフォーマットの例を示す図である。
【００４５】
端末装置３Ｃは、従来通り、ショートメッセージをＳＥＴＵＰメッセージによって端末装置３Ａへ宛てて送信する（図６の＃３８１）。具体的には、端末装置３Ｃは、ショートメッセージの本文を示すUser-to-user Information（ＵＵＩ）、発番号、および着番号などを含むＳＥＴＵＰメッセージ７１を生成し、交換局１へ送信する。「発番号」は、発信側の電話番号であり、本例では、端末装置３Ｃの電話番号である。「着番号」は、着信側の電話番号であり、本例では、端末装置３Ａの電話番号である。なお、「ＳＥＴＵＰメッセージ」は、International Telecommunications Union Telecommunication Standardization Sector（ＩＴＵ−Ｔ）のＱ．９３１の規格で定められているメッセージの一種である。後述するＩＮＦＯメッセージ、ＡＬＥＲＴメッセージ、およびＣＡＬＬＰＲＯＣメッセージもＱ．９３１の規格で定められている。
【００４６】
交換局１において、ＳＥＴＵＰメッセージ受信処理部１３１は、端末装置３ＣからＳＥＴＵＰメッセージ７１を受信し（＃１６１）、送信元つまり端末装置３ＣへＣＡＬＬＰＲＯＣメッセージを返信する（＃１６２）。
【００４７】
着信側状態判別部１３２は、ＳＥＴＵＰメッセージ７１に示される着番号の端末装置３つまり端末装置３Ａが通話中であるか否かを次のように判別する。
【００４８】
着信側状態判別部１３２は、端末情報管理テーブル１０２の中から、その着番号が電話番号として示される端末情報６を検索する。そして、その端末情報６の呼番号が「０」であれば、着信側状態判別部１３２は、端末装置３Ａが通知中でないと、判別する。一方、何らかの呼番号を示す場合は、着信側状態判別部１３２は、端末装置３Ａが通知中でないと、判別する。
【００４９】
なお、本実施形態では、２台の端末装置３同士は、回線交換方式によって通話を行うので、着信側状態判別部１３２は、端末装置３Ａが通話中であると判別できる場合は、回線交換方式によって通話を行っていると判定する。
【００５０】
チャネル判別部１３３は、検索された端末情報６の呼番号を有する呼情報５の発信者情報に端末装置３Ａの電話番号が示される場合は、この呼情報５に示される発信者ＢＳ番号および発信者チャネル番号によって決まるチャネルを、端末装置３Ａが現在通話のために使用しているＢチャネルであると判別する。一方、この呼情報５の着信者情報に端末装置３Ａの電話番号が示される場合は、この呼情報５に示される着信者ＢＳ番号および着信者チャネル番号によって決まるチャネルを、端末装置３Ａが現在通話のために使用しているＢチャネルであると判別する。
【００５１】
通話中時送信処理部１３４は、図７に示すように、呼情報設定部１３Ｅ、端末情報設定部１３Ｆ、ショートメッセージ送信処理部１３Ｇ、および完了通知受信処理部１３Ｈなどを有する。このような構成により、通話中時送信処理部１３４は、端末装置３Ａが通話中であると着信側状態判別部１３２によって判別された場合に、ＳＥＴＵＰメッセージ７１に含まれるショートメッセージの本文などを端末装置３Ａへ送信するための処理を次のように行う。
【００５２】
呼情報設定部１３Ｅおよび端末情報設定部１３Ｆは、呼情報５および端末情報６の設定に関する処理を行う。この処理については、後述する。
【００５３】
ショートメッセージ送信処理部１３Ｇは、図８のようなＩＮＦＯメッセージ７２を生成し、チャネル判別部１３３によって判別（特定）されたＢチャネルのペアであるＤチャネルを介して端末装置３Ａへ送信する（＃１６３）。ＩＮＦＯメッセージ７２には、図８の通り、メッセージ種別、情報要素識別子、アプリケーション内容長、およびアプリケーション情報などが含まれる。
【００５４】
「メッセージ種別」は、このＩＮＦＯメッセージ７２の種類を示し、本例では、「ＩＮＦＯメッセージ」であることを示す。
【００５５】
「情報要素識別子」および「アプリケーション内容長」は、それぞれ、アプリケーション情報の種類および長さを示す。本例では、アプリケーション情報としてＵＵＩが用いられる。そこで、情報要素識別子には、ＵＵＩの識別子が示される。
【００５６】
アプリケーション情報つまりＵＵＩには、発番号およびショートメッセージの本文のほか、これらの長さを示す情報（発番号内容長およびメッセージ内容長）およびアプリケーション識別子が含まれる。本例では、アプリケーション識別子として、送信通知コードが用いられる。「送信通知コード」は、ショートメッセージを送信することを通知するための独自のコードである。
【００５７】
端末装置３Ａにおいて、ＩＮＦＯメッセージ受信処理部３０１は、交換局１からＩＮＦＯメッセージ７２を受信する（＃３６１）。
【００５８】
通話中時メッセージ処理部３０２は、図３に示すように、送信通知コード確認部３２１、ショートメッセージ保存処理部３２２、着信通知処理部３２３、およびＩＮＦＯ応答処理部３２４などを有する。このような構成により、通話中時メッセージ処理部３０２は、通話中のショートメッセージの受信の処理を次のように行う。
【００５９】
送信通知コード確認部３２１は、ＩＮＦＯメッセージ７２のＵＵＩに送信通知コードが示されているか否かを確認する。
【００６０】
送信通知コードがＩＮＦＯメッセージ７２のＵＵＩに示されていることが確認されたら、ショートメッセージ保存処理部３２２は、ＩＮＦＯメッセージ７２から発番号およびショートメッセージの本文を抽出し、これらを示すショートメッセージデータを端末装置３Ａ自身のメッセージボックスなどの所定の記憶領域に保存する（＃３６２）。
【００６１】
着信通知処理部３２３は、アイコンまたはピクトなどの画像をディスプレイに表示し、音を鳴らし、またはバイブレータを振動させるなどして、ショートメッセージを受信したことをユーザに対して通知する（＃３６３）。
【００６２】
ＩＮＦＯ応答処理部３２４は、ショートメッセージを受信した旨の返信を、ＩＮＦＯメッセージを送信することによって行う（＃３６４）。
【００６３】
具体的には、ＩＮＦＯ応答処理部３２４は、図９のようなＩＮＦＯメッセージ７３を生成し、現在通話のために使用しているＢチャネルのペアであるＤチャネルを介して交換局１へ送信する。ＩＮＦＯメッセージ７３には、図９の通り、メッセージ種別、情報要素識別子、アプリケーション内容長、およびアプリケーション情報などが含まれる。図８と比較して分かるように、ＩＮＦＯメッセージ７３の構造は、ＩＮＦＯメッセージ７２と基本的に同じである。ただし、アプリケーション情報の内容が相違する。
【００６４】
ＩＮＦＯメッセージ７３のアプリケーション情報つまりＵＵＩのアプリケーション識別子には、受信通知コードが用いられる。「受信通知コード」は、ショートメッセージを受信できたことを通知するための独自のコードである。また、一般に、いわゆるアプリケーション汎用データ（ユーザデータ）をＩＮＦＯメッセージに載せることができるが、ＩＮＦＯメッセージ７３には、アプリケーション汎用データを載せない。そこで、ユーザデータを載せるためのフィールドの長さが０であることを示す情報（アプリケーション汎用データ長）がＩＮＦＯメッセージ７３に示される。
【００６５】
交換局１において、完了通知受信処理部１３Ｈは、端末装置３ＡからＩＮＦＯメッセージ７３を受信する（＃１６４）。
【００６６】
すると、呼情報設定部１３Ｅおよび端末情報設定部１３Ｆは、呼情報５を解放する処理などを行う。この処理については、後述する。
【００６７】
そして、完了通知送信処理部１３５は、ショートメッセージの中継が完了した旨を示すＡＬＥＲＴメッセージを端末装置３Ｃへ送信する（＃１６５）。
【００６８】
一方、端末装置３Ａが通話中でないと着信側状態判別部１３２によって判別された場合は、非通話中時送信処理部１３６が従来通りの方法でＳＥＴＵＰメッセージ７１を端末装置３Ａへ送信する。
【００６９】
すると、端末装置３Ａにおいて、ＳＥＴＵＰメッセージ受信処理部３０３は、交換局１からＳＥＴＵＰメッセージ７１を受信する。
【００７０】
非通話中時メッセージ処理部３０４は、ＳＥＴＵＰメッセージ７１のＵＵＩにショートメッセージの本文が示される場合は、従来通り、ショートメッセージが届いたことを画像または音などによってユーザに知らせる処理などを適宜、実行する。
【００７１】
図１０は、呼情報５１の例を示す図である。図１１は、端末情報６２の例を示す図である。図１２は、端末情報６１、６２の例を示す図である。図１３は、呼情報５１、５２の例を示す図である。図１４は、端末情報６１、６２の例を示す図である。図１５は、呼情報５１、５２の例を示す図である。
【００７２】
前述の通り、呼情報設定部１３Ｅおよび端末情報設定部１３Ｆは、呼情報５および端末情報６の設定および解放の処理を行う。ここで、これらの処理を、端末装置３Ｂからの呼に応答し端末装置３Ｂとの通話の最中である端末装置３Ａへ端末装置３Ｃがショートメッセージを送信する場合を例に、図１０〜図１５を参照しながら説明する。
【００７３】
端末装置３Ｃがショートメッセージを端末装置３Ａへ送信する前であって、端末装置３Ａが端末装置３Ｂと通話を行っているときに、例えば図１０のような呼情報５１が、端末装置３Ａと端末装置３Ｂとの通話の呼情報５として用いられる。また、例えば図１１のような端末情報６１が、端末装置３Ａの端末情報６として用いられる。
【００７４】
図１０の通り、未だ端末装置３Ｃからショートメッセージが発信されていないので、呼情報５１の着信者メッセージ通知用呼番号は「０」である。なお、端末装置３Ｂの端末情報６も既に設定されているが、説明を省略する。
【００７５】
端末装置３Ｃが端末装置３Ａ宛てのショートメッセージを載せたＳＥＴＵＰメッセージ７１を発信し交換局１がＳＥＴＵＰメッセージ７１を受信すると、端末情報設定部１３Ｆは、例えば図１２に示す端末情報６２を、端末装置３Ｃの端末情報６として登録する。この時点では、端末情報６２の呼番号は「０」である。ただし、既に端末装置３Ｃの端末情報６が登録されている場合は、新たに登録する必要はない。
【００７６】
呼情報設定部１３Ｅは、このショートメッセージの中継の通信のための呼情報５として、例えば図１３に示す呼情報５２を設定する。
【００７７】
すると、端末情報設定部１３Ｆは、図１４に示すように、端末情報６２の呼番号に呼情報５２の呼番号を設定する。さらに、呼情報設定部１３Ｅは、図１５に示すように、呼情報５１の着信者メッセージ用呼番号に呼情報５２の呼番号を設定する。
【００７８】
これらの設定後、ショートメッセージ送信処理部１３Ｇは、各呼情報５および各端末情報６に基づいてリソースを用い、上述の手順で端末装置３Ａへのショートメッセージの中継を行う。
【００７９】
また、ＩＮＦＯメッセージ７３つまりショートメッセージの受信の完了のメッセージがショートメッセージ送信処理部１３Ｇによって受信されると、呼情報設定部１３Ｅは、呼情報５２を解放し使用されていない状態に戻すとともに、呼情報５１の着信者メッセージ通知用呼番号を「０」に戻す。また、端末情報設定部１３Ｆは、端末情報６２の呼番号を「０」に戻す。
【００８０】
図１６および図１７は、交換局１の全体的な処理の流れの例を説明するフローチャートである。図１８および図１９は、端末装置３の全体的な処理の流れの例を説明するフローチャートである。
【００８１】
次に、交換局１および端末装置３の全体的な処理の流れを、図１６〜図１８のフローチャートを参照しながら説明する。
【００８２】
図１６および図１７において、交換局１は、ＳＥＴＵＰメッセージを端末装置３から受信すると（＃８０１）、呼情報管理テーブル１０１の中から空いている（使用されていない）呼情報５を検索し、その端末装置３のために割り当てる（＃８０２）。交換局１は、その呼情報５の「呼状態」の項目に「１（発信中）」を設定するとともに（＃８０３）、その端末装置３の端末情報６の「呼番号」の項目にその呼情報５の呼番号を設定する（＃８０４）。交換局１は、その呼情報５および端末情報６のそのほかの項目にも、その端末装置３に関する状況を設定する。
【００８３】
交換局１は、ＳＥＴＵＰメッセージの宛先である端末装置３の端末情報６の呼番号をチェックする（＃８０５）。そして、呼番号が「０」でない場合は（＃８０７でＮｏ）、交換局１は、ＳＥＴＵＰメッセージのＵＵＩにショートメッセージの本文が載っているか否かをチェックする。載っていない場合は（＃８０８でＮｏ）、従来通り、必要に応じて留守番電話サービスの処理を行ったり、いわゆる割込み通話の処理を行ったりする（＃８０９）。
【００８４】
一方、載っている場合は（＃８０８でＹｅｓ）、交換局１は、送信先の端末装置３の呼の呼情報５（つまり、ステップ＃８０５でチェックした呼番号を有する呼情報５）の発信者メッセージ通知用呼番号および着信者メッセージ通知用呼番号のうちのいずれか一方に、送信元の端末装置３に割り当てた呼情報５の呼番号を設定する（＃８１０）。具体的には、送信先の端末装置３の通話が自らの発呼により確立された場合は発信者メッセージ通知用呼番号に設定し、着呼により確立された場合は着信者メッセージ通知用呼番号に設定する。
【００８５】
そして、交換局１は、ＩＮＦＯメッセージ７２によって、独自コードである送信通知コードとともにショートメッセージの本文を送信先の端末装置３へ送信する（＃８１１）。この際に、交換局１は、送信先の端末装置３が使用しているＢチャネルを特定し、このＢチャネルに対応するＤチャネルを介して、このＩＮＦＯメッセージ７２を送信する。
【００８６】
その後、交換局１は、送信先の端末装置３からＩＮＦＯメッセージ７３を受信すると（＃８１２）、ＩＮＦＯメッセージ７３に受信通知コードが含まれていれば、ＩＮＦＯメッセージ７３のやり取りに用いられた回線の呼番号の呼情報５を検索する。さらに、交換局１は、検索した呼情報５の発信者メッセージ通知用呼番号または着信者メッセージ通知用呼番号に設定されている呼番号を抽出する（＃８１３）。
【００８７】
そして、交換局１は、抽出した呼番号の呼情報５を検索し（＃８１４）、検索した呼情報５に基づいて、ショートメッセージの発信者に対して、ショートメッセージの送信の完了の報告をＡＬＥＲＴメッセージによって行う（＃８２０）。さらに、送信元の端末装置３に割り当てた呼情報５を解放し、送信先の呼情報５の発信者メッセージ通知用呼番号（または、着信者メッセージ通知用呼番号）および送信元の端末情報６の呼番号をリセットする（＃８２１）。これにより、送信元の端末装置３の呼が解放される。送信先の端末装置３は、相手との通話をそのまま継続する（＃８２２）。
【００８８】
一方、ステップ＃８０５でチェックした呼番号が「０」である場合は（＃８０７でＹｅｓ）、交換局１は、送信先の端末装置３が通話中でないと判別し、従来通りに通話の処理またはショートメッセージの中継の処理を次のように行う。
【００８９】
ステップ＃８０１で受信したＳＥＴＵＰメッセージにショートメッセージの本文が載っていない場合は（＃８１５でＮｏ）、交換局１は、ＳＥＴＵＰメッセージに従って通話のために２台の端末装置３同士のセッションを確立する処理を行う（＃８１６）。
【００９０】
または、ショートメッセージの本文が載っている場合は（＃８１５でＹｅｓ）、交換局１は、ＳＥＴＵＰメッセージによってショートメッセージを送信先の端末装置３へ送信する（＃８１７）。この際に、送信元の端末装置３と送信先の端末装置３との間でセッションが確立され、呼情報５および端末情報６が設定される。また、交換局１は、受信完了のＡＬＥＲＴメッセージを送信先の端末装置３から受信すると（＃８１８）、従来通り、今回使用した呼情報５を解放する処理などを行うとともに、送信元の端末装置３に対して、受信完了のＡＬＥＲＴメッセージを送信する（＃８１９）。
【００９１】
図１８および図１９において、端末装置３は、交換局１からＩＮＦＯメッセージを受信した場合は（＃８５１でＹｅｓ）、受信したＩＮＦＯメッセージのＵＵＩに送信通知コードが含まれていれば（＃８５２でＹｅｓ、＃８５３でＹｅｓ）、ＵＵＩから発信者の電話番号およびショートメッセージの本文を取り出す（＃８５４、＃８５５）。取り出した発信者の電話番号およびショートメッセージの本文を示すデータをメッセージボックスなどに保存するとともに（＃８５６）、画像、音声、または振動によって受信の旨をユーザに対して知らせる（＃８５７）。そして、受信通知コードなどを含むＩＮＦＯメッセージ７３を交換局１へ返信する（＃８５８）。
【００９２】
一方、受信したＩＮＦＯメッセージのＵＵＩにショートメッセージの本文が載っていない場合は（＃８５２でＮｏまたは＃８５３でＮｏ）、端末装置３は、ＩＮＦＯメッセージに従い従来通りの処理を行う（＃８５９）。
【００９３】
または、端末装置３は、交換局１からＳＥＴＵＰメッセージを受信した場合は（＃８５２でＮｏ）、受信したＳＥＴＵＰメッセージのＵＵＩにショートメッセージの本文が載っていれば（＃８６０でＹｅｓ）、従来通り、ショートメッセージの受信および保存などの処理を行う（＃８６１〜＃８６５）。ショートメッセージの本文などの取出し元が異なる以外は、処理内容はステップ＃８５４〜＃８５８と基本的に同じである。
【００９４】
一方、ショートメッセージの本文が載っていなければ（＃８６０でＮｏ）、従来通り、着呼の音を鳴らしたりセッションを確立したりするなどして、通話のための処理を行う（＃８６６）。
【００９５】
本実施形態によると、無線選択呼出受信機の機能を有しない端末装置は、通話中であってもショートメッセージを受信することができる。
【００９６】
本実施形態では、ＰＨＳにおけるショートメッセージのやり取りを例に説明したが、本発明は、他の通信形態におけるショートメッセージのやり取りにも適用することができる。
【００９７】
その他、通信システムＴＳ、交換局１、端末装置３の全体または各部の構成、処理内容、処理順序、テーブルの構成、およびメッセージの構成などは、本発明の趣旨に沿って適宜変更することができる。
【符号の説明】
【００９８】
１  交換局（中継システム）
２  基地局（中継システム）
１３２  着信側状態判別部（通信状態判別手段）
１３３  チャネル判別部（音声チャネル特定手段）
１３４  通話中時送信処理部（転送手段）
１３５  完了通知送信処理部（ＡＬＥＲＴ送信手段）
３  端末装置
３０１  ＩＮＦＯメッセージ受信処理部（受信手段）
３２２  ショートメッセージ保存処理部（保存手段）
３２４  ＩＮＦＯ応答処理部（送信手段）
７１  ＳＥＴＵＰメッセージ
７２  ＩＮＦＯメッセージ
７３  ＩＮＦＯメッセージ
【図１】
2011254398.tif 000003
【図２】
2011254398.tif 000004
【図３】
2011254398.tif 000005
【図４】
2011254398.tif 000006
【図５】
2011254398.tif 000007
【図６】
2011254398.tif 000008
【図７】
2011254398.tif 000009
【図８】
2011254398.tif 000010
【図９】
2011254398.tif 000011
【図１０】
2011254398.tif 000012
【図１１】
2011254398.tif 000013
【図１２】
2011254398.tif 000014
【図１３】
2011254398.tif 000015
【図１４】
2011254398.tif 000016
【図１５】
2011254398.tif 000017
【図１６】
2011254398.tif 000018
【図１７】
2011254398.tif 000019
【図１８】
2011254398.tif 000020
【図１９】
2011254398.tif 000021